(57)【要約】無線アクセス・ポイントのための省電力モードが提供される。無線アクセス・ポイントは、別の無線局が、無線アクセス・ポイントに関連付けられているか否かを判定しうる。関連付けがない場合、無線アクセス・ポイントは、省電力モードを入りうる。関連付けは、無線アクセス・ポイントとの最近の関連付けによって、または、媒体アクセス制御アドレス・アクティビティによって判定されうる。省電力モードでは、電力が、無線アクセス・ポイントの少なくとも１つのエリアへ低減されうる。省電力モードでは、無線アクセス・ポイントは、ビーコン信号を送信することを停止しうる。無線アクセス・ポイントが、トリガ信号を受信すると、無線アクセス・ポイントは、省電力モードを出る。
2015505192.tif 000002
【特許請求の範囲】
【請求項１】
無線アクセス・ポイント（ＡＰ）における省電力のための方法であって、
前記アクセス・ポイントに関連するアクティブな接続がないことを判定することと、
前記アクセス・ポイントを、省電力モードに設定することと、
ここでは、前記アクセス・ポイントの少なくとも１つのエリアが、低減された電力状態で動作する、
前記アクセス・ポイントがトリガ信号を受信するまで、前記省電力モードにとどまることと、
を備える方法。
【請求項２】
前記アクティブな接続は、以前に関連付けられた無線局のリストを検査し、前記リストが空であることを判定することによって判定される、請求項１に記載の方法。
【請求項３】
前記アクティブな接続はさらに、媒体アクセス制御（ＭＡＣ）アドレスのリストを検査し、前記ＭＡＣアドレス・リストにＭＡＣアドレスがないと判定することによって判定される、請求項２に記載の方法。
【請求項４】
前記アクセス・ポイントは、前記省電力モードにおいてビーコンを送信しない、請求項１に記載の方法。
【請求項５】
前記トリガ信号を受信することと、
前記トリガ信号を受信することに応じて、前記省電力モードを出るように前記アクセス・ポイントを設定することと、
をさらに備える請求項３に記載の方法。
【請求項６】
前記トリガ信号は、無線局からのプローブ要求である、請求項５に記載の方法。
【請求項７】
アクセス・ポイントであって、
前記アクセス・ポイントに関連付けられた無線局のリストを含めるように構成された関連付けテーブルと、
前記関連付けテーブルをモニタするように構成されたアクティビティ・モニタと、
前記アクセス・ポイントに現在関連付けられている無線局がないと前記アクティビティ・モニタが判定した場合、前記アクセス・ポイントの少なくとも１つのエリアへの電力を低減するように構成された電力コンフィギュレータと、
を備えるアクセス・ポイント。
【請求項８】
前記電力コンフィギュレータはさらに、前記アクセス・ポイントに現在関連付けられている無線局がないと前記アクティビティ・モニタが判定した場合、前記アクセス・ポイントがビーコン信号を送信することを停止させるように構成された、請求項７に記載のアクセス・ポイント。
【請求項９】
前記アクセス・ポイントに関連付けられている無線局に対応する媒体アクセス制御（ＭＡＣ）アドレスを含めるように構成された媒体アクセス制御（ＭＡＣ）アドレス・テーブルと、
特定のＭＡＣアドレスからのアクティビティがないと判定された場合、予め定められた期間の経過後、前記ＭＡＣアドレス・テーブルからＭＡＣアドレスを削除するように構成されたＭＡＣアドレス・エージャと、
前記ＭＡＣアドレス・テーブルに含まれているＭＡＣアドレスの数を判定するように構成されたＭＡＣアドレス・テーブル・モニタと
をさらに備え、
前記電力コンフィギュレータはさらに、前記ＭＡＣアドレス・テーブルが空であると前記ＭＡＣアドレス・テーブル・モニタが判定した場合、前記アクセス・ポイントの少なくとも１つのエリアへの電力を低減するように構成された、請求項７に記載のアクセス・ポイント。
【請求項１０】
前記電力コンフィギュレータはさらに、前記ＭＡＣアドレス・テーブルが空であると前記ＭＡＣアドレス・テーブル・モニタが判定した場合、前記アクセス・ポイントがビーコン信号を送信することを停止させるように構成された、請求項９に記載のアクセス・ポイント。
【請求項１１】
前記無線局はさらに、トリガ信号を受信するように構成された、請求項１０に記載のアクセス・ポイント。 
【請求項１２】
前記トリガ信号は、プローブ要求である、請求項１１に記載のアクセス・ポイント。
【請求項１３】
前記電力コンフィギュレータはさらに、前記アクセス・ポイントの少なくとも１つのエリアへの電力を回復させるように構成された、請求項１１に記載のアクセス・ポイント。
【請求項１４】
前記電力コンフィギュレータは、前記アクセス・ポイントが、ビーコン信号を送信することを許可する、請求項１３に記載のアクセス・ポイント。
【請求項１５】
アクセス・ポイントにおける省電力のための方法であって、
少なくとも１つの基地局が、前記アクセス・ポイントへ接続することを可能にすることと、
前記アクセス・ポイントへの接続が、非アクティブになるのを待つことと、
前記アクセス・ポイントがビーコンを送信することを停止する、省電力モードに入ることと、
前記アクセス・ポイントがトリガ信号を受信した場合、前記省電力モードを出ることと、
を備える方法。
【請求項１６】
前記トリガ信号は、プローブ要求である、請求項１５に記載の方法。
【請求項１７】
前記省電力モードはまた、前記アクセス・ポイントの少なくとも１つのエリアへの電力を低減することを備える、請求項１５に記載の方法。
【発明の詳細な説明】
【技術分野】
【０００１】
本明細書は、一般に、通信システムにおける省電力、特に、無線ＬＡＮにおける省電力に関する装置および方法を記載する。
【背景技術】
【０００２】
アクセス・ポイント（ＡＰ）は、ＷＬＡＮ技術における重要な無線デバイスである。無線デバイスは、無線技術を用いて、アクセス・ポイント経由でデータを転送できうる。一般に、ＡＰは、ＡＰに関連付けられたアクティブな無線局がない場合であっても、常にオンでアクティブでありうるように動作する。ユーザが無線局をＡＰに接続し、この接続を、ブラウジングのために使用する自宅環境における状況を考慮されたい。ユーザが、その後、自宅から例えば事務所へ移動するのであれば、ユーザは、６−８時間後に、仕事から帰宅しうる。自宅ベースのＡＰは、未だに、オン状態にあり、設定されたインタバル毎にＡＰビーコンを送信する（一般的な値は、１００ミリ秒毎に送信する）ことでアクティブに動作している。ＡＰは、相当な電力を消費し、どの無線局にも、有用な通信を提供していない。したがって、アクセス・ポイントが、これらの条件下で、電力消費量を低減するためのモードを持っていれば、有益だろう。
【発明の概要】
【０００３】
無線アクセス・ポイントにおいて電力を節約するための方法が開示される。無線アクセス・ポイントは、アクセス・ポイントに関連するアクティブな関連付けがあるか否かを判定しうる。アクティブな関連付けがないのであれば、アクセス・ポイントは、省電力モードに入りうる。ここでは、アクセス・ポイントのエリアが、低減された電力で動作しうる。アクティブな関連付けは、関連付けられたアクセス・ポイントのリストを検査することによって判定されうる。アクティブな関連付けはまた、アクセス・ポイントとアクティブになっているＭＡＣアドレスのリストを検査することによっても判定されうる。アクセス・ポイントは、トリガ信号が受信された場合に、省電力モードを出ることができうる。１つの実施形態では、トリガ信号は、プローブ要求でありうる。
【０００４】
ＡＰ省電力モードをサポートする無線アクセス・ポイントが開示される。この無線アクセス・ポイントは、関連付けテーブル、アクティビティ・モニタ、および電力コンフィギュレータを含みうる。アクティビティ・モニタは、関連付けテーブルをモニタし、ＡＰに関連付けられた無線局がないか否かを判定しうる。関連付けられた局がない場合、アクティビティ・モニタは、無線アクセス・ポイントへの少なくとも１つのエリアへの電力を低減するように、電力コンフィギュレータへシグナルしうる。関連付けられた局がない場合、電力コンフィギュレータは、無線アクセス・ポイントに含まれたコントローラに対して、ビーコン信号の送信を停止するようにシグナルしうる。
【０００５】
無線アクセス・ポイントは、媒体アクセス制御（ＭＡＣ）アドレス・テーブルおよびＭＡＣアドレス・エージャ（ａｇｅｒ）を含みうる。予め定められた期間後に、特定のＭＡＣアドレスに関連するアクティビティがないのであれば、ＭＡＣアドレス・エージャは、ＭＡＣアドレス・テーブルから、ＭＡＣアドレスを除去しうる。無線アクセス・ポイントは、ＭＡＣアドレス・テーブル・モニタを含みうる。ＭＡＣアドレス・テーブルが空になった場合、ＭＡＣアドレス・テーブル・モニタは、電力コンフィギュレータにシグナルしうる。これに応答して、電力コンフィギュレータは、無線アクセス・ポイントの少なくとも１つの部分への電力を低減しうる。ＭＡＣアドレス・テーブルが空である場合、電力コンフィギュレータは、無線アクセス・ポイントに含まれたコントローラに対して、ビーコン信号を送信することを停止するようにシグナルしうる。
【図面の簡単な説明】
【０００６】
【図１】図１は、先行技術にしたがう、アクセス・ポイントと無線局との間のビーコンおよびプローブ・シグナリングを例示する。
【図２】図２は、ＡＰ省電力モードを実施する方法ステップのフローチャートである。
【図３】図３は、本明細書の１つの実施形態にしたがう無線システムの無線アクティビティを例示する。
【図４】図４は、無線局の１つの実施形態のブロック図である。
【０００７】
これら図面における構成要素は、必ずしも、スケールされる必要はなく、代わりに、強調がなされ、本明細書の原理が例示されている。
【０００８】
これら図面では、同一の参照符号が、異なる図面を通じて、対応する部分を示している。
【発明を実施するための形態】
【０００９】
本明細書は、ＡＰによってサービス提供されているアクティブな無線局がない場合に使用されうるアクセス・ポイント（ＡＰ）省電力モードを開示する。
【００１０】
定義  
局、無線局、移動局、無線デバイス、モバイル・デバイス、およびネットワーク・カード（ＮＩＣ）は、アクセス・ポイントとの無線通信が可能な同等な機能／デバイスである。
【００１１】
アクセス・ポイント（ＡＰ）は、無線ローカル・エリア・ネットワーク（ＷＬＡＮ）において使用される無線局であることができ、ＩＥＥＥ  ８０２．１１または等価の通信をサポートしうる。ＡＰはまた、ルータを含み、ＡＰ／ルータと称されうる。他の無線局は、ＡＰと関連付きうる。ＡＰは、関連付けられた無線局から、ＷＬＡＮ外の他のデバイスへトラフィックをルーティングすることによってＡＰに関連付けられうる、ネットワークおよび／またはコンピュータへのアクセスを提供しうる。
【００１２】
ソフトＡＰは、例えばラップトップまたはモバイル電話のようなＷＬＡＮ装備された無線クライアントが、ＡＰまたはＡＰ／ルータ・コンビネーションとして動作できるようにしうるソフトウェア・アプリケーションである。
【００１３】
アクティブＡＰは、少なくとも１つの無線局に関連付けられたＡＰであるか、または、少なくとも１つの無線デバイスのための少なくとも１つの現在の媒体アクセス制御（ＭＡＣ）アドレス・エントリを有するＡＰを称する。
【００１４】
無線局は、ネットワークへのアクセスを獲得するために、ＡＰと関連付きうる（ＡＰに登録しうる）。関連付けによって、無線局は、ＡＰへデータを送信することや、ＡＰからデータを受信することが可能となる。関連付けは、アド・ホック（ピア・トゥ・ピア）ネットワークではなく、無線インフラストラクチャ・ネットワークでなされ、論理的には、有線ネットワークに接続することに類似しうる。一般に、無線局は、一度に、１つのＡＰとしか関連付かない。
【００１５】
関連付けは、認証後になされる。認証は、無線局のアイデンティティを確立するが、データ転送を許可しない。認証された無線局は、例えば、ＡＰの基本サービス・セット（ＢＳＳ）に加入しうるが、データは、無線局がＡＰとの関連付けを持つまで転送されないことがありうる。
【００１６】
無線局は、ＡＰへの関連付けのために、関連付け要求を送信しうる。次に、ＡＰが、この関連付け要求を処理しうる。ＡＰは、この関連付け要求を受諾しうる。この場合、ＡＰは、関連付けを許可し、無線局へ／からフレーム（データ）を送信／受信しうる。ＡＰは、各転送前に関連付けする必要なく、将来のデータ転送を可能にするために、関連付けられた無線局を記録しうる。
【００１７】
無線局のバッテリ寿命を延ばすために、ＩＥＥＥ  ８０２．１１規格は、オプションの「省電力モード」を定義している。これは、多くのＩＥＥＥ  ８０２．１１準拠無線デバイスで利用可能である。一般に、エンド・ユーザは、単に、コンフィギュレーション・ツールによって、省電力モードをオンまたはオフしうる。無線局は、省電力モードにある間、使用されない回路への電力を低減することによって、比較的低電力しか消費しない。一般に、タイミング回路は、電力投入状態のままである。タイミング回路によって、無線局は、アクセス・ポイントからのビーコン送信を受信するために、定期的にウェイク・アップする（通常の電力状態に戻る）ようになる。それ以外の間は、低電力レベルで動作する。ビーコンは、省電力モード局が、アクセス・ポイントにおいてバッファされ配信待ちであるデータ・パケットを有しているか否かを特定しうる。省電力モードにおける無線局が、ウェイク・アップし、待っているパケットがあることをビーコンから学んだ場合、無線局は、データを取得するために、アクセス・ポイントと通信しうる。その後、無線局は、次のビーコン送信まで、省電力モードに戻りうる。
【００１８】
ＡＰのために利用可能な、代償的な標準化された省電力モードはない。現在のＩＥＥＥ  ８０２．１１規格によれば、ＡＰがスイッチ・オンされた場合、ビーコンはＡＰによって送信される。ビーコンは、一般に、１００ミリ秒毎に定期的に送信される。したがって、１分間で送信されるビーコン数は、６００でありうる。ＡＰとアクティブに通信する無線局がないのであれば、相当量のエネルギが浪費されることになる。
【００１９】
例えば、ＡＰがスイッチ・オンされ、関連付けられた無線局がない場合、ビーコンが、送信され続け、ＡＰが、フル電力で動作しうる。この振る舞いは、２．４ＧＨｚおよび５ＧＨｚにおいて共通である。このシナリオでは、アクセス・ポイントは、ビーコンを、どの無線局へも送信しないのに、一定量の電力を消費しうる。
【００２０】
例えばモバイル電話のようなモバイル・デバイスが、ＡＰとして動作する場合を考慮されたい。これは、モバイル・デバイスが、ソフトＡＰプログラムを実行するケースであり、モバイル・デバイスは、ＡＰのデューティを実行しうる。モバイル・デバイスは、いっとき、データを転送し、その後アイドルになる。なぜなら、例えば、ソフトＡＰの範囲内に、関連付けられた無線局はないからである。ユーザがソフトＡＰをオフするまで、ソフトＡＰは、ビーコンを送信し、電力を消費しうる。モバイル・デバイスは、しばしば、バッテリ駆動されるので、バッテリ寿命が悪影響を及ぼされうる。
【００２１】
そのようなシナリオ、つまり、ユーザがソフトＡＰをイネーブルし、その後、ＡＰ機能を使用しない場合、省電力は、バッテリ寿命を延長するために特に重要でありうる。
【００２２】
図１は、先行技術にしたがう、アクセス・ポイント１０２と無線局１０１との間のビーコンおよびプローブ・シグナリングを例示する。図１について、アクセス・ポイント１０２は、定期的にビーコンを送信しうる。こえは、無線局１０１によって受信されうる。ビーコン信号は、例えば、ＳＳＩＤ（サービス・セット識別子）のような情報、および、例えば、サポートされている送信レートのような能力情報を含みうる定期的な送信でありうる。無線局１０１は、アクセス・ポイント１０２によって受信されうるプローブ要求を送信しうる。プローブ要求は、とりわけ、ＳＳＩＤおよび能力情報に関する情報を取得するために送信されうる。一方、アクセス・ポイント１０２は、プローブ応答を、無線局１０１へ送信しうる。プローブ応答は、ビーコンに類似し、ＳＳＩＤおよび能力情報を含みうる。
【００２３】
１つの実施形態では、アクセス・ポイントは、無線局へサービスを提供していない場合、電力を節約しうる。図２は、ＡＰ省電力モードを実施する方法ステップ２００のフローチャートである。ステップ２０１において、ユーザは、ＡＰ省電力モードをサポートするＡＰへ、無線局を関連付ける。ユーザは、インターネットにアクセスするために、または、ＡＰを介してデータを転送するために、この関連付けを用いうる。ステップ２０２において、ＡＰは、ＡＰによって使用されているＭＡＣアドレスをモニタする。ＡＰは、最近使用されたＭＡＣアドレスのリストを維持しうる。しばしば、ＭＡＣアドレスは、ＩＰ（インターネット・プロトコル）アドレスに対応しうる。ＡＰは、関連付けられた無線局のためのデータを、特定のＩＰアドレスへルーティングするために、この対応付けを使用しうる。このＭＡＣアドレス・リストにＭＡＣアドレスが存在することは、特定のＭＡＣアドレスとＡＰとの間のアクティブな、または、最新のコネクションを示しうる。ＡＰにおけるＭＡＣアドレス・リストは、制限された余地しかないことがありうるので、ＡＰは、予め定められた期間内にＭＡＣアドレスを使用しなかったのであれば、これらＭＡＣアドレスを、このリストから削除しうる。この処理は、本明細書では、ＭＡＣアドレス・エージングと呼ばれる。ステップ２０３において、ＡＰは、ＡＰに関連付けられた無線局のリストをモニタする。無線局が、ＡＰを介して関連付けを行うと、ＡＰは、これら無線局を、関連付けリストへ追加しうる。ＡＰに関連付けられ、ＡＰとの間でデータをアクティブに転送しているか、または、ＡＰを用いてインターネットにアクセスしうる
無線局を、関連付けリストが、有効に列挙する。ステップ２０４において、ＭＡＣアドレスが空になったか、および／または、関連付けリストが空になったのであれば、ＡＰは、ＡＰ省電力モードに入りうる。空のＭＡＣアドレス・リストまたは空の関連付けリストは、ＡＰとのアクティブな関連付けがない（すなわち、アクティブな無線局がない）ことを示しうる。このモードでは、ＡＰは、ビーコンを送信することを停止し、電力消費量を低減しうる。いくつかの実施形態では、ＡＰは、ＡＰの１または複数へエリアへの電力を低減しうる。ステップ２０５において、ＡＰは、トリガ・イベントを待つ。トリガ・イベントは、ＡＰがＡＰ省電力モードを出て、通常動作に戻らねばならないことを示すために使用されうる。１つの実施形態では、トリガ・イベントは、プローブ要求を受信しうるか、または、アクティブ・スキャン要求を受信しうる。ステップ２０６において、トリガ・イベントが受信されると、ＡＰは、ＡＰ省電力モードを出る。ＡＰは、ビーコン応答および／またはプローブ応答を送信することを再開しうる。
【００２４】
図３は、本明細書の１つの実施形態にしたがう無線システムの無線アクティビティを例示する。無線システムは、アクセス・ポイント３０２および無線局３０１を含みうる。無線局３０１がアクセス・ポイント３０２の無線範囲外であるか、または無線局３０１の電源が落とされているのであれば、無線局は、アクセス・ポイント３０１によって維持されているＭＡＣアドレス・リストまたは関連付けリストに含まれていない場合がありうる。そうではないのであれば、アクセス・ポイント３０２は、ＡＰ省電力モード３０３に入り、ビーコンを送信しない。さらに、アクセス・ポイント３０２の１つ複数のエリアが、低減された電力モードとされうる。
【００２５】
あるいは、無線局３０１は、電源が投入され、アクセス・ポイント３０２によって維持されているＭＡＣアドレス・リストまたは関連付けリストに表れうる。これに応じて、アクセス・ポイント３０２は、アクティブ・モード３０４に入り、ビーコンを送信し始めうる。さらに、プローブ要求を受信することに応じて、アクセス・ポイント３０２は、無線局３０３へプローブ応答を送信しうる。
【００２６】
いくつかの地点では、記載されたＡＰ省電力モードは、２．４ＧＭｚ  ＩＳＭ（産業、科学、および医療）帯域において動作する無線局およびアクセス・ポイントのためにのみ実施されうる。５ＧＨｚの周波数帯域における動作は、いくつかの管轄における規制ルールによって、より制約をうけうる。例えば、いくつかの国は、５ＧＨｚ帯域の一部におけるプローブ要求の送信を制限しうる。
【００２７】
図４は、無線局４００の１つの実施形態のブロック図である。無線局４００は、アクセス・ポイントとして動作するように構成され、１または複数のデータ処理ユニット４１０と、１または複数のアナログ処理ユニット４２０とを含みうる。アナログ処理ユニット４２０は、無線局４００に関連付けられうるその他の無線デバイスとの間で無線データの送信および受信を行うように構成されうる。１つの実施形態では、データ処理ユニット４１０は、送信されるデータについて、デジタル信号処理を実行し、アナログ処理ユニット４２０は、データ処理ユニット４１０からのデジタル・データを、アナログ・データへ変換し、このアナログ・データを、キャリア周波数を用いて変調し、その結果として得られた信号を送信しうる。簡略のために、無線局４００では、１つのデータ処理ユニット４１０および１つのアナログ処理ユニット４２０しか図示されていない。その他の実施形態は、複数入力複数出力（ＭＩＭＯ）システムの場合でありうるように、複数のデータ処理ユニット４１０およびアナログ処理ユニット４２０を含みうる。
【００２８】
無線局４００はさらに、コントローラ４３０を含みうる。コントローラ４３０は、ホスト（図示せず）に接続されうる。コントローラ４３０は、ホストから送信されるデータを受信しうる。コントローラ４３０は、とりわけ、ホストからのデータを、データ処理ユニット４１０へ渡す（無線データ送信）前に、処理しうる。コントローラ４３０はまた、データ処理ユニット４１０およびアナログ処理ユニット４２０によって受信（無線データ受信）されたデータをホストへ提供しうる。しばしば、送信のためのデータは、接続された無線デバイスへの送信のためのデータ・パケットを生成するために、ＭＡＣアドレスを必要としうる。ＭＡＣアドレスは、ＭＡＣアドレス・テーブル４４０に格納されうる。予め定められた期間の経過後、データが、ＭＡＣアドレスから送信も受信もされないのであれば、ＭＡＣアドレス・エージャ４４５は、ＭＡＣアドレス・テーブル４４０からＭＡＣアドレスを削除しうる。
【００２９】
ＭＡＣアドレス・テーブル・モニタ４５０は、ＭＡＣアドレス・テーブル４４０をモニタしうる。ＭＡＣアドレス・テーブル・モニタ４５０は、ＭＡＣアドレス・テーブル４４０が、何れのＭＡＣアドレスをも含んでいないことを、電力コンフィギュレータ４６０へシグナルしうる。電力コンフィギュレータ４６０は、ビーコン信号の送信を停止するように、コントローラ４３０へシグナルしうる。これに応じて、電力コンフィギュレータ４６０は、無線局４００の１または複数のエリアへの電力を低減しうる。１つの実施形態では、電力コンフィギュレータ４６０は、データ処理ユニット４１０および／またはアナログ処理ユニット４２０への電力を低減しうる。
【００３０】
無線局４００はさらに、関連付けテーブル４７０を含みうる。１つの実施形態では、関連付けテーブル４７０は、無線局４００にアクティブに関連付けられたアクセス・ポイントのリストを含みうる。例によって、無線局４００は、アクセス・ポイントとして動作し、別の無線デバイスと関連付けられうる。これによって、無線局４００は、他の無線デバイスとデータを受信または送信できるようになる。他の無線デバイスは、関連付けテーブル４７０において示されうる。他の無線デバイスがもはや、無線局４００によってサービス提供されていない（例えば、他の無線デバイスが、電力を落としているか、または、無線局４００の範囲外に移動した）のであれば、他の無線デバイスは、コントローラ４３０によって、関連付けテーブル４７０から削除されうる。アクティビティ・モニタ４７５は、関連付けテーブル４７０をモニタしうる。関連付けテーブル４７０が、何れの無線デバイスも含んでいないのであれば、アクティビティ・モニタ４７５は、電力コンフィギュレータ４６０へシグナルしうる。これに応じて、電力コンフィギュレータ４６０は、コントローラ４３０に対して、ビーコンの送信を停止するようにシグナルしうる。電力コンフィギュレータ４６０はさらに、無線局４００の少なくとも１つの部分への電力を低減しうる。
【００３１】
明細書のさまざまな実施形態が記載されているが、本明細書のスコープ内にあるより多くの実施形態および実施例が可能であることが、当業者に明らかになるであろう。例えば、本開示に記載されたシステムおよび方法の何れかによるどのような組み合わせも可能である。
【図１】
2015505192.tif 000003
【図２】
2015505192.tif 000004
【図３】
2015505192.tif 000005
【図４】
2015505192.tif 000006
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
無線アクセス・ポイント（ＡＰ）における省電力のための方法であって、
前記アクセス・ポイントによって使用された媒体アクセス制御（ＭＡＣ）アドレスのリストを維持することと、
前記アクセス・ポイントが、予め定められた期間、前記ＭＡＣアドレスを使用しなかったのであれば、前記リストからＭＡＣアドレスを削除することと、
ＭＡＣアドレスを含まない前記リストに基づいて、前記アクセス・ポイントに関連するアクティブな接続がないことを判定することと、
前記アクセス・ポイントに関連するアクティブな接続がないと判定することに基づいて、前記アクセス・ポイントを、省電力モードに設定することと、ここでは、前記アクセス・ポイントの少なくとも１つのエリアが、前記省電力モードにおいて、低減された電力状態で動作する、
前記アクセス・ポイントがトリガ信号を受信するまで、前記省電力モードにとどまることと、
を備える方法。
【請求項２】
以前に関連付けられた無線局のリストを検査することによって、前記アクセス・ポイントに関連するアクティブな接続がないとを判定することと、
前記以前に関連付けられた無線局のリストが空であることを判定することと、
をさらに備える請求項１に記載の方法。
【請求項３】
前記アクセス・ポイントは、前記省電力モードにおいてビーコンを送信しない、請求項１に記載の方法。
【請求項４】
前記トリガ信号を受信することと、
前記トリガ信号を受信することに応じて、前記省電力モードを出るように前記アクセス・ポイントを設定することと、をさらに備える請求項１に記載の方法。
【請求項５】
前記トリガ信号は、無線局からのプローブ要求である、請求項４に記載の方法。
【請求項６】
アクセス・ポイントであって、
前記アクセス・ポイントによって最近使用された媒体アクセス制御（ＭＡＣ）アドレスを格納させるように構成されたＭＡＣアドレス・テーブルと、
前記アクセス・ポイントが、予め定められた期間、前記ＭＡＣアドレスを使用しなかったと判定されると、前記ＭＡＣアドレス・テーブルから前記ＭＡＣアドレスを削除するように構成されたＭＡＣアドレス・エージャと、
前記ＭＡＣアドレス・テーブルが何れかのＭＡＣアドレスを格納しているか否かを判定するように構成されたＭＡＣアドレス・テーブル・モニタと、
に関連付けられた無線局のリストを含めるように構成された関連付けテーブルと、
前記関連付けテーブルをモニタするように構成されたアクティビティ・モニタと、
前記ＭＡＣアドレス・テーブルは何れのＭＡＣアドレスも格納していないと前記ＭＡＣアドレス・テーブルが判定した場合、前記アクセス・ポイントの少なくとも１つのエリアへの電力を低減するように構成された電力コンフィギュレータと、を備えるアクセス・ポイント。
【請求項７】
前記電力コンフィギュレータはさらに、前記ＭＡＣアドレス・テーブルは何れのＭＡＣアドレスも格納していないと前記アクティビティ・モニタが判定した場合、前記アクセス・ポイントがビーコン信号を送信することを停止させるように構成された、請求項６に記載のアクセス・ポイント。
【請求項８】
前記アクセス・ポイントに関連付けられている無線局のリストを含めるように構成された関連付けテーブルと、
前記関連付けテーブルをモニタするように構成されたアクティビティ・モニタとをさらに備え、
前記電力コンフィギュレータはさらに、前記アクセス・ポイントに現在関連付けられている無線局がないと前記アクティビティ・モニタが判定した場合、前記アクセス・ポイントの少なくとも１つのエリアへの電力を低減するように構成された、請求項６に記載のアクセス・ポイント。
【請求項９】
前記電力コンフィギュレータはさらに、前記アクセス・ポイントに現在関連付けられている無線局がないと前記アクティビティ・モニタが判定した場合、前記アクセス・ポイントがビーコン信号を送信することを停止させるように構成された、請求項８に記載のアクセス・ポイント。
【請求項１０】
前記アクセス・ポイントはさらに、トリガ信号を受信するように構成された、請求項９に記載のアクセス・ポイント。 
【請求項１１】
前記トリガ信号は、プローブ要求である、請求項１０に記載のアクセス・ポイント。
【請求項１２】
前記電力コンフィギュレータはさらに、前記アクセス・ポイントの少なくとも１つのエリアへの電力を回復させるように構成された、請求項１０に記載のアクセス・ポイント。
【請求項１３】
前記電力コンフィギュレータは、前記アクセス・ポイントが、ビーコン信号を送信することを許可する、請求項１２に記載のアクセス・ポイント。
【手続補正２】
【補正対象書類名】明細書
【補正対象項目名】００３１
【補正方法】変更
【補正の内容】
【００３１】
明細書のさまざまな実施形態が記載されているが、本明細書のスコープ内にあるより多くの実施形態および実施例が可能であることが、当業者に明らかになるであろう。例えば、本開示に記載されたシステムおよび方法の何れかによるどのような組み合わせも可能である。
以下に、本願出願の当初の特許請求の範囲に記載された発明を付記する。
［１］
無線アクセス・ポイント（ＡＰ）における省電力のための方法であって、
前記アクセス・ポイントに関連するアクティブな接続がないことを判定することと、
前記アクセス・ポイントを、省電力モードに設定することと、ここでは、前記アクセス・ポイントの少なくとも１つのエリアが、低減された電力状態で動作する、
前記アクセス・ポイントがトリガ信号を受信するまで、前記省電力モードにとどまることと、を備える方法。
［２］
前記アクティブな接続は、以前に関連付けられた無線局のリストを検査し、前記リストが空であることを判定することによって判定される、［１］に記載の方法。
［３］
前記アクティブな接続はさらに、媒体アクセス制御（ＭＡＣ）アドレスのリストを検査し、前記ＭＡＣアドレス・リストにＭＡＣアドレスがないと判定することによって判定される、［２］に記載の方法。
［４］
前記アクセス・ポイントは、前記省電力モードにおいてビーコンを送信しない、［１］に記載の方法。
［５］
前記トリガ信号を受信することと、
前記トリガ信号を受信することに応じて、前記省電力モードを出るように前記アクセス・ポイントを設定することと、をさらに備える［３］に記載の方法。
［６］
前記トリガ信号は、無線局からのプローブ要求である、［５］に記載の方法。
［７］
アクセス・ポイントであって、
前記アクセス・ポイントに関連付けられた無線局のリストを含めるように構成された関連付けテーブルと、
前記関連付けテーブルをモニタするように構成されたアクティビティ・モニタと、
前記アクセス・ポイントに現在関連付けられている無線局がないと前記アクティビティ・モニタが判定した場合、前記アクセス・ポイントの少なくとも１つのエリアへの電力を低減するように構成された電力コンフィギュレータと、を備えるアクセス・ポイント。
［８］
前記電力コンフィギュレータはさらに、前記アクセス・ポイントに現在関連付けられている無線局がないと前記アクティビティ・モニタが判定した場合、前記アクセス・ポイントがビーコン信号を送信することを停止させるように構成された、［７］に記載のアクセス・ポイント。
［９］
前記アクセス・ポイントに関連付けられている無線局に対応する媒体アクセス制御（ＭＡＣ）アドレスを含めるように構成された媒体アクセス制御（ＭＡＣ）アドレス・テーブルと、
特定のＭＡＣアドレスからのアクティビティがないと判定された場合、予め定められた期間の経過後、前記ＭＡＣアドレス・テーブルからＭＡＣアドレスを削除するように構成されたＭＡＣアドレス・エージャと、
前記ＭＡＣアドレス・テーブルに含まれているＭＡＣアドレスの数を判定するように構成されたＭＡＣアドレス・テーブル・モニタとをさらに備え、
前記電力コンフィギュレータはさらに、前記ＭＡＣアドレス・テーブルが空であると前記ＭＡＣアドレス・テーブル・モニタが判定した場合、前記アクセス・ポイントの少なくとも１つのエリアへの電力を低減するように構成された、［７］に記載のアクセス・ポイント。
［１０］
前記電力コンフィギュレータはさらに、前記ＭＡＣアドレス・テーブルが空であると前記ＭＡＣアドレス・テーブル・モニタが判定した場合、前記アクセス・ポイントがビーコン信号を送信することを停止させるように構成された、［９］に記載のアクセス・ポイント。
［１１］
前記無線局はさらに、トリガ信号を受信するように構成された、［１０］に記載のアクセス・ポイント。 
［１２］
前記トリガ信号は、プローブ要求である、［１１］に記載のアクセス・ポイント。
［１３］
前記電力コンフィギュレータはさらに、前記アクセス・ポイントの少なくとも１つのエリアへの電力を回復させるように構成された、［１１］に記載のアクセス・ポイント。
［１４］
前記電力コンフィギュレータは、前記アクセス・ポイントが、ビーコン信号を送信することを許可する、［１３］に記載のアクセス・ポイント。
［１５］
アクセス・ポイントにおける省電力のための方法であって、
少なくとも１つの基地局が、前記アクセス・ポイントへ接続することを可能にすることと、
前記アクセス・ポイントへの接続が、非アクティブになるのを待つことと、
前記アクセス・ポイントがビーコンを送信することを停止する、省電力モードに入ることと、
前記アクセス・ポイントがトリガ信号を受信した場合、前記省電力モードを出ることと、を備える方法。
［１６］
前記トリガ信号は、プローブ要求である、［１５］に記載の方法。
［１７］
前記省電力モードはまた、前記アクセス・ポイントの少なくとも１つのエリアへの電力を低減することを備える、［１５］に記載の方法。
【国際調査報告】
2015505192.tif 000007
2015505192.tif 000008